(57)【要約】【課題】  寝た状態の被介護者を座らせるために上半身保持部を腰保持部に対して起こすときに、被介護者の上半身がその重力で上半身保持部から腰保持部上にずれ落ちないようにすることである。【解決手段】  上半身保持部、腰保持部および膝下保持部をこの順に備えたマットと、  このマットを所定の高さで水平に支持し、膝下保持部を進入させるための膝下保持部進入用空間部を備えた台脚と、上半身保持部と腰保持部との境界部分で上半身保持部および腰保持部を回動可能に軸支する静軸支部と、腰保持部と膝下保持部との境界部分を移動可能に、かつ腰保持部および膝下保持部を回動可能に軸支する動軸支部と、上半身保持部に対して腰保持部を上半身が腰保持部上へ滑って移動しない相対角度αに上方へ回動させ、かつ腰保持部に対して膝下保持部を膝下保持部進入用空間部内に膝下および膝下保持部が進入可能な相対角度βに下方へ回動させながら、上半身保持部を略水平に対して上方へ回動させ被介護者を座らせる動作およびその逆動作を行うべく動軸支部および静軸支部を駆動する駆動手段とを備えた介護ベッド。【選択図】  図２
2005323928.tif 000002
【特許請求の範囲】
【請求項１】
上半身保持部、腰保持部および膝下保持部をこの順に備えたマットと、
このマットを所定の高さで水平に支持し、膝下保持部を進入させるための膝下保持部進入用空間部を備えた台脚と、
上半身保持部と腰保持部との境界部分で上半身保持部および腰保持部を回動可能に軸支する静軸支部と、
腰保持部と膝下保持部との境界部分を移動可能に、かつ腰保持部および膝下保持部を回動可能に軸支する動軸支部と、
上半身保持部に対して腰保持部を上半身が腰保持部上へ滑って移動しない相対角度αに上方へ回動させ、かつ腰保持部に対して膝下保持部を膝下保持部進入用空間部内に膝下および膝下保持部が進入可能な相対角度βに下方へ回動させながら、上半身保持部を略水平に対して上方へ回動させ被介護者を座らせる動作およびその逆動作を行うべく動軸支部および静軸支部を駆動する駆動手段と
を備えた介護ベッド。
【請求項２】
相対角度αが、１３０度〜９０度の範囲内で一定である請求項１に記載の介護ベッド。
【請求項３】
相対角度αが、１５０〜９０度の範囲内で変動する請求項１に記載の介護ベッド。
【請求項４】
相対角度βが、８０〜１００度の範囲内で一定または変動する請求項１〜３のいずれか一つに記載の介護ベッド。
【請求項５】
台脚が、簡易トイレをさらに備え、マットの腰保持部が、前記簡易トイレに通じる開口を閉鎖可能に有してなる請求項１〜４のいずれか一つに記載の介護ベッド。
【請求項６】
簡易トイレが、腰保持部の開口との間に、両者を気密に結ぶ蛇腹式ダクトをさらに備えた請求項１〜５のいずれか一つに記載の介護ベッド。
【請求項７】
簡易トイレが、携帯用トイレ、移動式簡易トイレまたは水洗式簡易トイレである請求項５または６に記載の介護ベッド。
【請求項８】
水洗式簡易トイレが、温水洗浄手段および／または温風乾燥手段を具備してなる請求項７に記載の介護ベッド。
【請求項９】
膝下保持部が、その一端を動軸支部に軸支される軸支端とし、他端を後方マット部または台脚に載置されるか解除可能に係止される自由端としてなる請求項１〜８のいずれか一つに記載の介護ベッド。
【請求項１０】
駆動手段が、動軸支部および静軸支部にそれぞれ付設されたギアモータまたは一対のエアシリンダと、これらのギアモータまたはエアシリンダに作動を指令する制御回路とを備えた請求項１〜９のいずれか一つに記載の介護ベッド。
【請求項１１】
駆動手段が、制御回路をＯＮまたはＯＦＦさせる被介護者用スイッチおよび／または介護者用スイッチをさらに備えた請求項１０に記載の介護ベッド。
【発明の詳細な説明】
【技術分野】
【０００１】
本発明は、介護ベッドに関し、さらに詳しくは、マットと、このマットを所定の高さで略水平に支持する台脚とを備え、マットの各部を相対的に回動させることによって、被介護者を座らせることができる介護ベッドに関するものである。
【背景技術】
【０００２】
寝た状態の被介護者は、食事をするときや、トイレを使うときには、介護ベッド上で座ることが多く、そのために介護ベッドは、マットの各部が相対的に回動できるように構成されている。
【０００３】
従来のこの種の介護ベッドとしては、例えば、上半身保持部、腰保持部、膝下保持部および下マット部をこの順に備えたマットと、このマットを所定の高さで水平に支持し、膝下保持部を進入させるための膝下保持部進入用空間部を備えた台脚と、上半身保持部と腰保持部との境界部分で上半身保持部を腰保持部に対して回動可能に軸支する第１静軸支部と、腰保持部と膝下保持部との境界部分で膝下保持部を腰保持部に対して回動可能に軸支する第２静軸支部と、これらの静軸支部の駆動手段とを備え、略水平な腰保持部に対して上半身保持部を相対角度を１８０度から約９０度に、膝下保持部を腰保持部に対して相対角度を１８０度から約２７０度にそれぞれ回動させ、被介護者を座らせるようにした介護ベッドが知られている（特許文献１参照）。
【０００４】
しかし、この介護ベッドでは、寝た状態の被介護者を座らせるために、上半身保持部を腰保持部に対して起こそうとすると、被介護者の上半身がその重力で上半身保持部から腰保持部上にずれる、またはすべるおそれがあった。この上半身のずれは、被介護者自身で腰保持部を略水平に維持したままで阻止したり、戻すことはきわめて難しい。
【０００５】
この改善策としては、上半身保持部や腰保持部の表面にすべり止めを設けることも考えられるが、寝心地に影響するし、すべり止め効果を長時間保持することが難しいなど、必ずしも良好な結果が出ていない。
【特許文献１】特開２００２−５２０４８号公報
【発明の開示】
【発明が解決しようとする課題】
【０００６】
解決しようとする問題点は、寝た状態の被介護者を座らせるために上半身保持部を腰保持部に対して起こすときに、被介護者の上半身がその重力で上半身保持部から腰保持部上にずれないようにし、介護者の手を煩わすことがないようにすることである。このことにより被介護者には排泄の自立と尊厳を持って生活できる。
【課題を解決するための手段】
【０００７】
本発明は、上半身保持部、腰保持部および膝下保持部をこの順に備えたマットと、
このマットを所定の高さで水平に支持し、膝下保持部を進入させるための膝下保持部進入用空間部を備えた台脚と、上半身保持部と腰保持部との境界部分で上半身保持部および腰保持部を回動可能に軸支する静軸支部と、腰保持部と膝下保持部との境界部分を移動可能に、かつ腰保持部および膝下保持部を回動可能に軸支する動軸支部と、上半身保持部に対して腰保持部を上半身が腰保持部上へ滑って移動しない相対角度αに上方へ回動させ、かつ腰保持部に対して膝下保持部を膝下保持部進入用空間部内に膝下および膝下保持部が進入可能な相対角度βに下方へ回動させながら、上半身保持部を略水平に対して上方へ回動させ被介護者を座らせる動作およびその逆動作を行うべく動軸支部および静軸支部を駆動する駆動手段とを備えた介護ベッドを提供する。
【発明の効果】
【０００８】
本発明に係る介護ベッドによれば、上半身保持部に対して腰保持部を上半身が腰保持部上へ滑って移動しない相対角度αに上方へ回動させ、かつ腰保持部に対して膝下保持部を膝下保持部進入用空間部内に膝下および膝下保持部が進入可能な相対角度βに下方へ回動させながら、上半身保持部を略水平に対して上方へ回動させ被介護者を座らせるので、上半身保持部を起こす際に、被介護者の上半身や腰が下方にずれたり、すべるおそれがなく、座る動作を介護者の手を煩わすことなくスムースに行うことができる。
【発明を実施するための最良の形態】
【０００９】
本発明に係る介護ベッドは、上半身保持部、腰保持部、膝下保持部およびこの膝下保持部の後方に付設される後方マット部をこの順に備えたマットと、このマットを所定の高さで水平に支持し、膝下保持部を進入させるための膝下保持部進入用空間部を備えた台脚と、上半身保持部と腰保持部との境界部分で上半身保持部および腰保持部を回動可能に軸支する静軸支部と、腰保持部と膝下保持部との境界部分を移動可能に、かつ腰保持部および膝下保持部を回動可能に軸支する動軸支部と、この動軸支部および静軸支部を駆動する駆動手段とを備えている。
【００１０】
そして、この駆動手段は、上半身保持部に対して腰保持部を上半身が腰保持部上へ滑って移動しない相対角度αに上方へ回動させ、かつ腰保持部に対して膝下保持部を膝下保持部進入用空間部内に膝下および膝下保持部が進入可能な相対角度βに下方へ回動させながら、上半身保持部を略水平に対して上方へ回動させ被介護者を座らせる動作およびその逆動作を行うべく動軸支部および静軸支部に作動を指令することを特徴とする。
ここで、相対角度αは、１３０度〜９０度の範囲内で一定か、１５０〜９０度の範囲内で変動するよう設定されるのが、実用上好ましい。一方、相対角度βは、８０〜１００度の範囲内で一定または変動するよう設定されるのが実用上好ましい。
【００１１】
この駆動手段は、具体的には、例えば動軸支部および静軸支部にそれぞれ付設された一対のギアモータ、エアシリンダまたは油圧シリンダーと、これらのギアモータ、エアシリンダまたは油圧シリンダーに作動を指令する制御回路とからなる手段を挙げることができる。そして、この制御回路はマイクロコンピュータまたは電子回路などによって構成できる。
なお、駆動手段は、制御回路をＯＮまたはＯＦＦさせる被介護者および／または介護者用スイッチをさらに備えると、被介護者の万一の場合（例えば、被介護者の体調に、食事をしたり、トイレを使うことに支障が生じたとき）に対応が可能になる。
更に駆動手段は、マットの各部が正常にセットされた状態（例えば、マットの各部、トイレ、駆動手段などに故障がなく、手入れ中でもない状態、介護ベッド内にペットや子供が潜り込んでいない状態、または組立てや設置が不十分でない状態）で、はじめてＯＮされるようにするため、安全装置を付設することが望ましい。安全装置としては、介護ベッド内に潜り込めないようにスクロール可能または着脱可能なスクリーンや、マットの各部が正常な位置に設置されていることを検出するマイクロスイッチおよび／またはパイロットランプ（表示ランプ）を挙げることができる。スクリーンは、内部が見えるようにすることが大事で、布、塩化ビニル樹脂、ポリエステル樹脂などからなるオーガンジー、網戸用のメッシュが好ましい。
本発明において、膝下保持部は、その一端を動軸支部に軸支される軸支端とし、他端を後方マット部または台脚に載置されるか解除可能に係止される自由端とすることができる。また、後方マット部は、その一端を膝下保持部の他端に軸支される軸支端とし、後方マット部の他端を台脚に載置される自由端とすることもでき、さらにこの後方マット部を着脱可能としてもよい。
【００１２】
なお、駆動手段は、制御回路をＯＮまたはＯＦＦさせる被介護者および／または介護者用スイッチをさらに備えると、被介護者の万一の場合に対応が可能になる。
本発明において、膝下保持部は、その一端を動軸支部に軸支される軸支端とし、他端を後方マット部または台脚に載置されるか解除可能に係止される自由端とすることができる。また、後方マット部は、その一端を膝下保持部の他端に軸支される軸支端とし、後方マット部の他端を台脚に載置される自由端とすることもでき、上半身保持部を起こす際には、後方マット部が膝下保持部との相対角度を約１００度から約９０度に折り曲げた状態で、膝下保持部と共に膝下進入用空間部に入るのが好ましい。
【００１３】
本発明においては、台脚が、簡易トイレをさらに備え、マットの腰保持部が、前記簡易トイレに通じる開口を閉鎖可能に有すると、簡易トイレを座った状態で使用できる。
ここで、簡易トイレとしては、具体的には、特に限定されないが、携帯用トイレ、移動式簡易トイレまたは水洗式簡易トイレ、おがくずを用いた“バイオトイレ”などを挙げることができる。そして、水洗式簡易トイレは、保温便座、温水洗浄手段および／または温風乾燥手段を具備してなるものが好ましい。おがくずを用いた“バイオトイレ”は、通常の洋式トイレの下部に尿と便とを分け、尿はペルチェ素子で冷やしてにおいを消し、便はおがくずと混ぜて微生物により分解する。
【００１４】
そして、簡易トイレは、マットの開口との間に、両者を気密に結ぶ蛇腹式ダクトをさらに備えると、簡易トイレの使用時の匂いの発散を防止できる。また、簡易トイレが、台脚に着脱可能であれば、内部の処理や清掃に便利である。
このように、マットの腰保持部は、近接して簡易トイレが配置されているので、冷えやすく、したがってヒータなどによる保温または加温手段を備えるのが望ましい。
［実施の形態１］
【００１５】
図１〜６は、本発明に係る介護ベッドの実施の形態１の動作を説明する概略構成説明図である。
そして、図１〜３は、被介護者を仰向けに寝た状態から座らせるまでの動作を説明し、図１は被介護者が仰向けに寝た状態（介護ベッドは動作前の状態）を、図２は介護ベッドの略水平な上半身保持部に対して腰保持部を相対角度約９０度に折り曲げた状態を、図３は上半身保持部と腰保持部とを相対角度約９０度を維持しながら回動させ被介護者を座らせた状態をそれぞれ示す。
【００１６】
図４〜５は、被介護者を座らせた状態から図１の被介護者を仰向けに寝た状態にするまでの動作を説明する。図４は、図３の被介護者を座らせた状態から上半身保持部と腰保持部とを相対角度約９０度を維持しながら回動させた図２と同じ状態を、図５は略水平な上半身保持部に対して腰保持部を相対角度約９０度から徐々に拡げながら被介護者を仰向けに寝た状態にする少し前の状態を示す。
【００１７】
まず、図１〜３において、介護ベッド１は、上半身保持部２、腰保持部３、膝下保持部４およびこの膝下保持部４の後方に付設される後方マット部５をこの順に備えたマット６と、このマットを所定の高さで水平に支持し、膝下保持部４を進入させるための膝下保持部進入用空間部７を備えた台脚８と、上半身保持部２と腰保持部３との境界部分で上半身保持部２および腰保持部３を回動可能に軸支する静軸支部９と、腰保持部３と膝下保持部４との境界部分を移動可能に、かつ腰保持部３および膝下保持部４を回動可能に軸支する動軸支部１０と、これらの動軸支部１０および静軸支部９を駆動する駆動手段１１とから主としてなる。
【００１８】
この駆動手段１１は、動軸支部および静軸支部にそれぞれ付設されたギアモータ（図示省略）と、これらのギアモータに作動を指令する制御回路とからなる。
台脚８は、簡易トイレ１２を備え、マット６の腰保持部３が、簡易トイレ１２に通じる開口（図示省略）を閉鎖可能に有している。そして、簡易トイレ１２は、腰保持部３の開口との間には、両者を気密に結ぶ蛇腹式ダクト１３およびこのダクトの開閉可能な入口・出口シャッタ（図示省略）や、これら蛇腹式ダクト１３まわりを含む腰保持部３に保温手段（図示省略）をさらに備えている。なお、１４は簡易トイレ１２の水洗装置（温水洗浄手段および温風供給・乾燥手段を具備）、２０は吸気・排気手段である。
【００１９】
マット６は、その上半身保持部２の両側にそれぞれ仕切り板１５・１６を備え、腰保持部３の両側にそれぞれ仕切り板１７を備えているが、これらの仕切り板を折り曲げることによってマット６全体を平らにもできるようにしている。また膝下保持部４と後方マット部５とは相互に係合できるように段部１８・１９を備えている。
次に、以上の構成を備えた介護ベッド１の動作を説明する。
まず、図１において、介護ベッド１は、マット６の全体を略水平に維持しているので、被介護者は仰向けに寝ることができる。
【００２０】
次に、被介護者または介護者がトイレ用ボタン（図示省略）を押すことにより駆動手段１１を作動させ（予め駆動手段１１の作動を制御回路に設定しておいてもよい）、静軸支部９および動軸支部１０を作動させて、図２のごとく、介護ベッド１の略水平な上半身保持部２に対して腰保持部３を相対角度α：約９０度上方に回動させ、しかも膝下保持部４を腰保持部３に対して下方へ相対角度β：約９０度に回動させる。
【００２１】
続いて、図３のごとく、静軸支部９を作動させて、上半身保持部２を、腰保持部３および膝下保持部４との相対角度（約９０度）関係を維持しつつ約９０度起し、膝下保持部４を膝下保持部進入用空間部７内に進入させて被介護者を座らせる。この際、被介護者の上半身と腰とが約９０度に維持されているので、被介護者はその上半身を滑らせたり、ずらすことなく快適に座ることができ、トイレを済ますことができる。もちろん、被介護者の膝下は予め曲げられているので、後方マット部５に当たることもない。
【００２２】
次いで、静軸支部９を作動させ、図４の状態、つまり図２と同じ状態に戻る。この際、簡易トイレ１２には蛇腹式ダクト１３が備えられ、簡易トイレ１２とマットの開口との間を気密に結び、蛇腹式ダクト１３の入口・出口シャッタが閉じられた状態で、吸気・排気手段２０によりフイゴのごとく吸気・排気する。そして、内部の臭気を含む空気は、脱臭されて排気されるので、においが外部に漏れることを防止できる。
そして、静軸支部９および動軸支部１０を作動させて、図５のごとく、上半身保持部２、腰保持部３、膝下保持部４およびこの膝下保持部４を水平になるように拡げた状態にすると、膝下保持部４の段部１８が後方マット部５の段部１９に係合し、被介護者はスムースに仰向けに寝ることができる。
【００２３】
なお、図６において、上半身保持部２を傾斜状態で停止し、被介護者を適宜休ませたり、テレビなどを見ることができる状態にすることもできる。また、介護ベッド１の各動作前には、駆動手段１１に備えられた装置により、音声でその動作を被介護者または介護者に知らせることもできる。
［実施の形態２］
【００２４】
図７は、本発明に係る介護ベッドの実施の形態２の構成および動作を説明する上方から見た概略説明図であり、図８は、その実施の形態２で採用した安全ネットの構成および動作を説明する説明図である。
図７および８において、２１は、被介護者を安全に介護ベッドに保持するための、やわらかな感触で強靭な安全ネット（ナイロン繊維よりなる、やわらかい感触の紐を編んだネット）であり、その四方のコーナーにはそれぞれバンド２２，２３、２４，２５を設け、これらのバンドは介護ベッドのマットの上半身保持部２に取り付けている。そして、これらのバンドには、結合具（例えば、ポリアセタール樹脂製の通称“着脱バックル”）２６、２７，２８および２９を設け、全体としてバンドの長さを調節でき、さらに安全ネット２１を取り外しできるようにしている。
【００２５】
なお、３０は安全ネット２１をエプロンのように吊り下げる吊下げ紐であり、安全ネット２１を緩くしても、その緩みにより安全ネット２１が下腹部までずり落ちないようにしている。これによって、安全ネット２１を苦しくならないように比較的緩く締めることができるわけである。
一方、３５は、寝袋のような上布団（冬用の厚手の毛布でもよいが、夏用の薄手の布団でもよい）であり、この上布団の上部分は安全ネット２１で押さえられ、上布団３５の胴部分は、結合具３１および３２を備えたバンド３３、３４を備え、介護ベッドの上半身保持部２に取り付けられて、全体として着脱可能となっている。別途ポンチョまたはマントのような布団をはおる。
【００２６】
ここで、上布団は、さらにファスナーを設けて上下に分離できるようにし温度調節可能としてもよく、また登山用の寝袋のようにして中に毛布のようなものを取外し可できるように入れ温度調節可能としてもよい。
なお、介護ベッドのその他の構成は、実施の形態１の場合と同様であるので、説明を省略する。
以上のごとく、介護ベッドに、安全ネット２１や、上布団３５を採用することによって、被介護者の防寒を十分に行えるようにすると共に、介護者を介さないと一人では立ち上がりができないようにすることによって落下・転倒などを未然に防止できるようにしているわけである。
［実施の形態３］
【００２７】
図９は、本発明に係る介護ベッドの実施の形態３を示す図２相当図である。
図９において、４１は、後方マット部であり、その一端を膝下保持部４２の他端に移動可能に軸支される動軸支端４３とし、後方マット部４１の他端を台脚に載置される自由端４４とする。動軸支端４３は、駆動手段としてのギアモータ（図示省略）と、このギアモータに作動を指令する制御回路（図示省略）とにより、屈曲可能である。
【００２８】
さて、図９では、介護ベッドの略水平な上半身保持部４５に対して腰保持部３を上方に相対角度（α）約９０度に折り曲げ、膝下保持部４２を腰保持部３に対して下方へ相対角度（β）約９０度に折り曲げた状態であり、さらに後方マット部４１は、膝下保持部４２に対して上方へ相対角度約９０度に折り曲げている。
次いで、上半身保持部４５を起こす際には、後方マット部４１が膝下保持部４２との相対角度を約９０度にした状態で、膝下保持部４２と共に膝下進入用空間部４６に入る。
ここで、後方マット部４１は、上半身保持部４５に対して腰保持部３が９０度以上の相対角度を有する場合でも、被介護者が足を載置させて上半身や腰を支えることができ、下方にずれたり、すべるのをより確実に防止できる。
なお、介護ベッドのその他の構成および作動は実施の形態１と同様であり、説明を省略する。
【産業上の利用可能性】
【００２９】
本発明に係る介護ベッドは、病院や、家庭において、被介護者がベッド上で、座るとき、食事をするときに便利であり、特にトイレを使用するときに便利である。なお、この介護ベッドは、介護椅子、または介護チェアーとしても利用できる。
【図面の簡単な説明】
【００３０】
【図１】本発明に係る介護ベッドの実施の形態１の動作を説明する概略構成説明図であり、被介護者が仰向けに寝た状態（介護ベッドは動作前の状態）を示す。
【図２】同じく実施の形態１の動作を説明する概略構成説明図であり、介護ベッドの略水平な上半身保持部に対して腰保持部を相対角度約９０度に折り曲げた状態を示す。
【図３】同じく実施の形態１の動作を説明する概略構成説明図であり、上半身保持部と腰保持部とを相対角度約９０度を維持しながら回動させ被介護者を座らせた状態を示す。
【図４】同じく実施の形態１の動作を説明する概略構成説明図であり、被介護者を座らせた状態から図１の被介護者を仰向けに寝た状態にするまでの動作を説明し、特に、図３の被介護者を座らせた状態から上半身保持部と腰保持部とを相対角度約９０度を維持しながら回動させた図２と同じ状態を示す。
【図５】同じく実施の形態１の動作を説明する概略構成説明図であり、被介護者を座らせた状態から図１の被介護者を仰向けに寝た状態にするまでの動作を説明し、特に、略水平な上半身保持部に対して腰保持部を相対角度約９０度から徐々に拡げながら被介護者を仰向けに寝た状態にする少し前の状態を示す。
【図６】同じく実施の形態１の動作を説明する概略構成説明図であり、非介護者をその上半身を傾斜した状態にしたところを示す。
【図７】本発明に係る介護ベッドの実施の形態２の構成および動作を説明する上方から見た概略説明図である。
【図８】実施の形態２で採用した安全ネットの構成および動作を説明する説明図である。
【図９】本発明に係る介護ベッドの実施の形態３を示す図２相当図である。
【符号の説明】
【００３１】
１        介護ベッド
２        上半身保持部
３        腰保持部
４        膝下保持部
５        後方マット部
６        マット
７        膝下進入用空間部
８        台脚
９        静軸支部
１０      動軸支部
１１      駆動手段
１２      簡易トイレ
１３      蛇腹式ダクト
１４      水洗装置
１５      仕切り板
１６      仕切り板
１７      仕切り板
１８      段部
１９      段部
２０      吸気・排気手段
２１      安全ネット
【図１】
2005323928.tif 000003
【図２】
2005323928.tif 000004
【図３】
2005323928.tif 000005
【図４】
2005323928.tif 000006
【図５】
2005323928.tif 000007
【図６】
2005323928.tif 000008
【図７】
2005323928.tif 000009
【図８】
2005323928.tif 000010
【図９】
2005323928.tif 000011